(57)【要約】【課題】  透過型スクリーンと、光源を備え、光源を点灯させることにより、画像信号に応じたカラー画像を透過型スクリーン上に表示する表示装置において、鮮明なカラー画像を得ることのできる表示装置を提供することを課題とする。また、手の届かない位置に設けられた透過型スクリーン上に表示される選択項目を入力操作できる表示装置を提供することを課題とする。【解決手段】  本発明は、透過型スクリーンの背面側から光源を用いてカラー画像を透過型スクリーンに投影するとともに、このカラー画像を、透過型スクリーンと一体的に配置された撮像手段にて光源の点灯と同期して撮像することで、上記課題を解決する。また、この撮像手段にて、透過型スクリーンの前面側の被写体である視認者の動作を検出するとともに、この動作に対応した目印を透過型スクリーンに表示することで、上記課題を解決する。【選択図】図７
2012027104.tif 000002
【特許請求の範囲】
【請求項１】
透過型スクリーンと、光源を備え、前記光源を点灯させることにより、画像信号に応じたカラー画像を前記透過型スクリーン上に表示する表示装置であって、前記カラー画像を撮像する撮像手段が前記透過型スクリーンと一体的にまたは近接して配置され、前記撮像手段は前記点灯と同期して撮像することを特徴とする表示装置。
【請求項２】
前記光源は、複数の単色光源で構成され、前記複数の単色光源の発光周期内に順次点灯するとともに、前記発光周期或いは前記発光周期の整数倍の期間を撮像周期として撮像することを特徴とする請求項１に記載の表示装置。
【請求項３】
前記複数の単色光源の発光色は、赤，緑，青の３種類であることを特徴とする請求項１または２に記載の表示装置。
【請求項４】
前記複数の単色光源は、異なる点灯比率で前記点灯が実行されることを特徴とする請求項１または２に記載の表示装置。
【請求項５】
前記発光周期内に前記複数の単色光源が同時に点灯する期間を有することを特徴とする請求項１または２に記載の表示装置。
【請求項６】
前記撮像手段は、前記撮像手段の被写体の動作を検出するとともに、前記動作は透過型スクリーン上に表示されることを特徴とする請求項１に記載の表示装置。
【請求項７】
前記被写体は視認者であり、前記動作は前記視認者の手の動きであり、前記手の動きに対応した目印が、前記透過型スクリーン上に表示されることを特徴とする請求項６に記載の表示装置。
【請求項８】
前記目印は、前記透過型スクリーン上の表示を選択決定できる入力操作手段であることを特徴とする請求項６または７に記載の表示装置。
【請求項９】
前記選択決定は、前記目印が一定時間継続して指示されることで実行されることを特徴とする請求項６〜８のいずれかに記載の表示装置。
【発明の詳細な説明】
【技術分野】
【０００１】
本発明は、透過型スクリーンにカラー画像を表示する表示装置に関するものである。
【背景技術】
【０００２】
近年、表示装置としてはタッチパネル方式が知られており、現金自動支払い機、券売機、ガソリンスタンド、無人駐車場等で使われている。しかしながら、いずれのタッチパネルも比較的小さい画面を覗きこむようにして操作することが前提とされていた。
【０００３】
そこで、特開２００６−４３３０号公報（特許文献１）には、図８に示すように、表示装置１００としてのスクリーン１０１の背面側から赤外線照射を行ない、赤外線カメラ１０３をスクリーン１０１の背面側に配置して、スクリーン１０１の前面側の被写体１０２に反射してスクリーン１０１を透過して戻ってきた赤外線を赤外線カメラ１０３で撮影することより、被写体１０２の動きをスクリーン１０１の映像に反映させ、スクリーン１０１に表示される選択項目を非接触で入力操作する表示装置が提案されている。
【先行技術文献】
【特許文献】
【０００４】
【特許文献１】特開２００６−４３３０号公報
【発明の概要】
【発明が解決しようとする課題】
【０００５】
しかしながら、特許文献１では、図８に示すように、スクリーン１０１から離れた視認者としての被写体１０２が、赤外線カメラ１０３で照射され、スクリーン１０１に映し出されているため、スクリーン１０１に表示される選択項目を非接触で入力操作することができるものの、スクリーン１０１と被写体１０２との間に赤外線吸収ガラスが設けられているような場合には、被写体１０２の動きを認識できず、被写体１０２の指示を検出することができないという問題があった。例えばドライブスルーの場合における、スクリーンと被写体の間にある車の赤外線吸収ガラスである。これにより、外光に含まれる赤外線成分が吸収され、熱を帯びることにより撮像が妨げられるためである。
【０００６】
また、可視光ではなく、赤外線撮影するため、図８に示す赤外線カメラ１０３には、別途、照明として、専用の赤外線ＬＥＤユニット１０４が必要であった。
【０００７】
本発明は、上記の問題点に鑑みてなされたものであり、透過型スクリーンの背面側から光源を用いてカラー画像を透過型スクリーンに投影するとともに、このカラー画像を透過型スクリーンと一体的に配置された撮像手段にて、可視光で撮影することで、熱による影響なく鮮明なカラー画像を得ることのできる表示装置を提供することにある。
【０００８】
また、透過型スクリーン上から照射される光を撮像手段の照明として用い、撮像することで、別途、照明を配設しなくても、鮮明なカラー画像を得ることのできる表示装置を提供することにある。
【０００９】
更に、この撮像手段にて、透過型スクリーンの前面側の被写体である視認者の動作を検出することで、被写体の動きを容易に認識できるとともに、この動作に対応した目印を透過型スクリーンに表示することで、透過型スクリーンに表示される選択項目を非接触で選択して決定できる表示装置を提供することにある。
【課題を解決するための手段】
【００１０】
本発明は、透過型スクリーンと、光源を備え、前記光源を点灯させることにより、画像信号に応じたカラー画像を前記透過型スクリーン上に表示する表示装置であって、前記カラー画像を撮像する撮像手段が前記透過型スクリーンと一体的に配置され、前記撮像手段は前記点灯と同期して撮像することを特徴とする表示装置である。
【００１１】
また、本発明は、前記光源は、複数の単色光源で構成され、前記複数の単色光源の発光周期内に順次点灯するとともに、前記発光周期或いは前記発光周期の整数倍の期間を撮像周期として撮像することを特徴とする表示装置である。
【００１２】
また、本発明は、前記複数の単色光源の発光色は、赤，緑，青の３種類であることを特徴とする表示装置である。
【００１３】
また、本発明は、前記複数の単色光源は、異なる点灯比率で前記点灯が実行されることを特徴とする表示装置である。
【００１４】
また、本発明は、前記発光周期内に前記複数の単色光源が同時に点灯する期間を有することを特徴とする表示装置である。
【００１５】
また、本発明は、前記撮像手段は、前記撮像手段の被写体の動作を検出するとともに、前記動作は透過型スクリーン上に表示されることを特徴とする表示装置である。
【００１６】
また、本発明は、前記被写体は視認者であり、前記動作は前記視認者の手の動きであり、前記手の動きに対応した目印が、前記透過型スクリーン上に表示されることを特徴とする表示装置である。
【００１７】
また、本発明は、前記目印は、前記透過型スクリーン上の表示を選択決定できる入力操作手段であることを特徴とする表示装置である。
【００１８】
また更に、本発明は、前記選択決定は、前記目印が一定時間継続して指示されることで実行されることを特徴とする表示装置である。
【発明の効果】
【００１９】
本発明によれば、透過型スクリーンと、光源を備え、光源を点灯させることにより、画像信号に応じたカラー画像を透過型スクリーン上に表示する表示装置であって、カラー画像を撮像する撮像手段が透過型スクリーンと一体的に配置され、撮像手段は点灯と同期して撮像されるため、透過型スクリーンから照射される光を撮像手段の照明として使うことができ、鮮明なカラー画像を取得することができる。
【００２０】
また、本発明によれば、光源は、複数の単色光源で構成され、複数の単色光源の発光周期内に順次点灯するとともに、発光周期或いは発光周期の整数倍の期間を撮像周期として撮像されるため、即ち、複数の単色光源の点灯の一巡もしくは複数回の繰り返しで一つのカラー画像を表示するため、鮮明なカラー画像を取得することができる。
【００２１】
また、本発明によれば、複数の単色光源の発光色は、赤，緑，青の３種類であるため、各々の単色光源を透過型スクリーン上に順次投影すれば、１つのカラー画像を表示することができる。
【００２２】
また、本発明によれば、複数の単色光源は、異なる点灯比率で点灯が実行されるため、自由な色合いに変更することができ、例えば、人間の視感度が高い単色光源である緑の点灯時間が長くなるような点灯比率とすれば、明るいカラー画像を取得することができる。
【００２３】
また、本発明によれば、発光周期内に複数の単色光源が同時に点灯する期間を有するため、同時に点灯する期間は、最大輝度の白色光で、光量も強く、この期間に撮像されるカラー画像は、鮮明に取得することができる。
【００２４】
また、本発明によれば、撮像手段は、被写体の動作を検出するとともに、動作は透過型スクリーン上に表示されるため、被写体の動きを容易に認識することができる。
【００２５】
また、本発明によれば、被写体は視認者であり、視認者の手の動きに対応した目印が、透過型スクリーン上に表示されるため、視認者は、透過型スクリーン上の目印を手の動きで操作することができる。
【００２６】
また、本発明によれば、目印は、透過型スクリーン上の表示を選択決定できる入力操作手段であるため、視認者は、非接触での入力操作を実現することができる。
【００２７】
また更に、本発明によれば、選択決定は、目印が一定時間継続して指示されることで実行されるため、透過型スクリーン上の表示を確実に選択決定することができる。
【図面の簡単な説明】
【００２８】
【図１】本発明に係る表示装置の概略構成を模式的に示した図である。
【図２】本発明に係る光源の構成を説明する図である。
【図３】本発明に係る表示装置のコントローラの構成を示すブロック図である。
【図４】本発明に係る表示装置が備える光源の発光タイミング並びに撮像手段の同期信号を示す図である。
【図５】本発明に係る表示装置が備える光源の発光タイミング並びに撮像手段の同期信号を示す図である。
【図６】本発明に係る表示装置が備える光源の発光タイミング並びに撮像手段の同期信号を示す図である。
【図７】本発明に係る表示装置を用いて、被写体である視認者にて操作される様子を説明する図である。
【図８】本発明の従来例となる表示装置の概略構成を模式的に示した図である。（ａ）本発明の従来例となる表示装置の概略構成を模式的に示した平面図である。（ｂ）本発明の従来例となる表示装置の概略構成を模式的に示した側面図である。
【発明を実施するための形態】
【００２９】
本発明の表示装置に係る実施の形態について説明する。図１は、本発明に係る表示装置１の概略構成を模式的に示した図である。
【００３０】
表示装置１は、透過型スクリーン２、リフレクタミラー５、投影ユニット１０、撮像手段２０、コントローラ３０を備える。
【００３１】
透過型スクリーン２は、車の窓ガラス７の後方に被写体４０がいる前面側に配置されるレンチキュラレンズ３と、投影ユニット１０側に配置されるフレネルレンズ４とが向かい合わせで配置される。レンチキュラレンズ３の被写体４０側表面には、透明保護シートを配置することもできる。
【００３２】
レンチキュラレンズ３は、水平方向に伸びる不図示の黒色部と投影ユニット１０からの光が透過する不図示のレンズ部が交互に配置される。
【００３３】
フレネルレンズ４は、投影ユニット１０からの投射光の光軸中心に対応した同心円状のレンズで構成され、全ての方向からの投射光がレンチキュラレンズ３のレンズ部に入るように導光される。
【００３４】
投影ユニット１０から拡大投射される画像信号に応じたカラー画像の投射光６は、透過型スクリーン２の背面側に透過型スクリーン２と対向して、湾曲した状態で設けられたリフレクタミラー５に投射され、このリフレクタミラー５にて反射された投射光６が、透過型スクリーン２の背面に投射される。透過型スクリーン２は、拡大投射される画像信号に応じたカラー画像の投射光６によって、透過型スクリーン２の前面にカラー画像を表示する。
【００３５】
撮像手段２０は、透過型スクリーン２の前面側の被写体４０である視認者の動作を撮像するＣＣＤ（Charge Coupled Device）カメラであり、透過型スクリーン２と一体的に近傍配置されている。
【００３６】
撮像手段２０は、投影ユニット１０の光源の点灯と同期して撮像するため、透過型スクリーン２で照らされたカラー画像を撮像手段２０の照明として使うことができ、鮮明なカラー画像を取得することができる。なお、コントローラ３０では、表示装置１の制御が行われる。
【００３７】
図２は、図１に示した投影ユニット１０の構成を示す図である。投影ユニット１０の光源は、発光色の異なる複数の単色光源を備える。発光色は赤、緑、青の３種類である。
【００３８】
赤１０ａ、緑１０ｂ、青１０ｃの単色光源は、順次点灯される。赤１０ａ、緑１０ｂ、青１０ｃからの光は、コリメータレンズ１１で平行光に変換され、ダイクロイックミラー１２ａ，１２ｂで、各々の光が同一の光軸上に導光される。同一の光軸上に導光された光は、ロッドレンズ１３、フライアイレンズ１４を通過する。通過した光は、ミラー１５で反射される。
【００３９】
反射された光は、拡散光となるように、凸レンズ１６を通過させたのち、ＤＭＤ（デジタル・マイクロミラー・デバイス）１７に入射する。その後、ＤＭＤ１７に入射した光は、ＤＭＤ１７で反射される。反射した光は、拡大光学系で構成されるプロジェクションレンズ１８で拡散されて、透過型スクリーン２上に投影される。
【００４０】
ＤＭＤ１７とは、１つのマイクロミラーが１つの画素を構成し、画素数に応じて、多数のマイクロミラーが二次元的に配列されたものである。
【００４１】
また、ＤＭＤ１７は、各々のマイクロミラーの振れ角が画像信号に応じて２値的に変化するように、制御される。すなわち、赤１０ａ、緑１０ｂ、青１０ｃの単色光源の点灯と同時に、画像信号に応じて、マイクロミラーの振れ角がオン／オフされる。例えば、赤１０ａの単色光源が点灯した場合、直ちに画像信号の赤の成分を含む画素に対応するマイクロミラーがオンされ、マイクロミラーで赤１０ａの単色光源からの光を反射させる。この際、画像信号の赤の成分を含まない画素に対応するマイクロミラーはオフされており、不図示の光吸収板に吸収される。
【００４２】
マイクロミラーで順次反射された赤１０ａ、緑１０ｂ、青１０ｃの光は、プロジェクションレンズ１８に入射され、その後、プロジェクションレンズ１８で拡散されて、透過型スクリーン２に投影される。
【００４３】
このようにして、赤１０ａ、緑１０ｂ、青１０ｃの単色光源の点灯と同期して、画像信号に応じた光を透過型スクリーン２に順次投影することで、１つのカラー画像を透過型スクリーン２に表示することができる。また、マイクロミラーがオンされている時間を変えれば、画素単位で光量を変えることができる。画像形成のための光学系としては、マイクロミラーに限らず、汎用されている走査光学系を使用できることは言うまでもない。
【００４４】
光源としては、ＬＥＤ（Light Emitting Diode）等の固体発光素子を用いたが、半導体レーザを用いることもできる。
【００４５】
このように、光源として、固体発光素子を用いることにより、光源の寿命が、プロジェクタ等のランプ光源、或いは照明用光源として一般に使用されている蛍光灯よりも長く、光源として長時間の使用が可能である。
【００４６】
図３は、図１に示した表示装置１のコントローラ３０の構成を示すブロック図である。図３に示すように、コントローラ３０は、メインコントローラ３１、ＤＭＤコントローラ３２、ＬＥＤドライバ部３３、操作部３４、画像処理部３５で構成される。
【００４７】
メインコントローラ３１は、表示装置１の制御を行うためのＣＰＵ，メモリ等で構成される制御部である。操作部３４から操作信号を受信したメインコントローラ３１は、この操作信号をＤＭＤコントローラ３２に送信する。
【００４８】
操作部３４は、ユーザが表示装置１に対して各種操作を行うための操作ボタンを備えたリモコンである。
【００４９】
ＤＭＤコントローラ３２は、ＤＭＤ１７のマイクロミラーのオン／オフを制御するとともに、ＬＥＤドライバ部３３を制御して、光源１０の点灯を制御する。
【００５０】
撮像手段２０には、投影ユニット１０の光源の点灯と同期してＬＥＤドライバ部３３を介して同期信号が送信される。これにより、図１に示す透過型スクリーン２上で照らされたカラー画像を撮像手段２０の照明として使うことができ、鮮明なカラー画像を取得することができる。その後、画像処理部３５にて調整されたカラー画像は、メインコントローラ３１に送信される。
【００５１】
ＤＭＤコントローラ３２は、複数の単色光源を備える光源を点灯する際、異なる点灯比率で点灯させても、同時に点灯させても良い。これにより、投影ユニット１０の光源の点灯と同期して撮像手段２０で撮像されたカラー画像を自由な色合いに変更することができる。
【００５２】
これについて、図４、図５、図６に基づいて具体的に説明する。図４、図５、図６は、表示装置１が備える赤１０ａ、緑１０ｂ、青１０ｃの単色光源の発光タイミング並びに各単色光源の点灯と同期して撮像される撮像手段２０に送信される同期信号を示す図である。図５、図６は、特に、各単色光源の発光周期内に各単色光源が同時に点灯する期間を含む場合を示す図である。
＜実施例１＞
図４に示すように、赤１０ａ、緑１０ｂ、青１０ｃの単色光源の発光周期をＴ、赤１０ａの点灯期間をＴ１、緑１０ｂの点灯期間をＴ２，青１０ｃの点灯期間をＴ３とする。赤１０ａ、緑１０ｂ、青１０ｃの単色光源は、この順に点灯される。各点灯期間の積算値は、Ｔ１＋Ｔ２＋Ｔ３＝Ｔ、即ち発光周期Ｔと一致する。また、各単色光源の点灯期間に応じて各単色光源の光量も決定される。例えば、赤１０ａ、緑１０ｂ、青１０ｃの単色光源の点灯比率を１：２：１とすることで、白色光を得ることができる。この場合、人間の視感度が高い単色光源である緑１０ｂの点灯比率が長いため、明るいカラー画像を取得することができる。
【００５３】
このように、各単色光源は、異なる点灯比率で点灯が実行されるため、自由な色合いに変更することができ、各単色光源の点灯と同期して撮像手段２０で撮像されるカラー画像も自由な色合いに変更することができる。
【００５４】
撮像周期Ｔｃは、各単色光源の発光周期Ｔの整数倍の期間とされれば、複数の単色光源の点灯の複数回の繰り返しで一つのカラー画像を表示させられるため、鮮明なカラー画像を取得することができる。
＜実施例２＞
図５では、赤１０ａ、緑１０ｂ、青１０ｃの単色光源の発光周期をＴ、赤１０ａの点灯期間をＴ４、緑１０ｂの点灯期間をＴ５，青１０ｃの点灯期間をＴ６とする。赤１０ａ、緑１０ｂ、青１０ｃの単色光源は、まず、赤１０ａと緑１０ｂが同時点灯し、赤１０ａの点灯が終わり、赤１０ａより点灯時間の長い緑１０ｂの点灯が終わらないうちに、青１０ｃが点灯することで、緑１０ｂと青１０ｃが同時点灯する。また、各単色光源の点灯期間に応じて各単色光源の光量が決定される。このように、複数の単色光源が同時に点灯する期間、高輝度の白色光を得ることができる。赤１０ａと青１０ｃの単色光源の点灯期間を、緑１０ｂの単色光源の点灯期間より短くしているが、同一としても良い。
【００５５】
赤１０ａ、緑１０ｂ、青１０ｃの単色光源の点灯期間を適宜増減させれば、自由な色合いに変更することができ、白色光のみならず、電球色や昼光色のような光を再現することができる。赤１０ａ、緑１０ｂ、青１０ｃの全ての単色光源が点灯しない期間も設けているが、連続点灯させても良い。
【００５６】
撮像周期Ｔｃは、各単色光源の発光周期Ｔの整数倍の期間とされれば、複数の単色光源の点灯の複数回の繰り返しで一つのカラー画像を表示させられるため、鮮明なカラー画像を取得することができる。
＜実施例３＞
図６では、赤１０ａ、緑１０ｂ、青１０ｃの単色光源の発光周期をＴ、赤１０ａの点灯期間をＴ７、緑１０ｂの点灯期間をＴ８，青１０ｃの点灯期間をＴ９とする。赤１０ａ、緑１０ｂ、青１０ｃの単色光源は、この順に点灯される。各単色光源の点灯期間に応じて各単色光源の光量が決定される。例えば、赤１０ａ、緑１０ｂ、青１０ｃの単色光源の点灯比率を１：２：１とすることで、白色光を得ることができる。赤１０ａと青１０ｃの単色光源の点灯期間を、緑１０ｂの単色光源の点灯期間より短くしているが、同一としても良い。
【００５７】
赤１０ａ、緑１０ｂ、青１０ｃの単色光源の点灯期間を適宜増減させれば、自由な色合いに変更することができる。赤１０ａ、緑１０ｂ、青１０ｃの全ての単色光源が点灯しない期間も設けているが、連続点灯させても良い。
【００５８】
赤１０ａ、緑１０ｂ、青１０ｃの全ての単色光源を同時点灯する、すなわち、ストロボ発光する点灯期間を設け、この点灯期間をＴ１０とすると、この点灯期間では、各単色光源を順次点灯する場合に比べて、３倍の光量を得ることができ、最大輝度の白色光を得ることができる。点灯期間Ｔ１０は、赤１０ａと青１０ｃの単色光源の点灯期間の半分と短くしたものの、この期間を撮像期間Ｔ１１に充当させれば、短時間であっても鮮明なカラー画像を取得できることになる。
【００５９】
したがって、屋外等の明るい場所でも、図１に示す透過型スクリーン２上で充分な輝度を得ることができる。また、透過型スクリーン２の背面に投射される投射光や透過型スクリーン２の前面側からの外光に含まれる赤外線成分が、透過型スクリーン２の反射防止コーティング等に吸収され、鮮明なカラー画像が得られにくい場合にも、透過型スクリーン２上で充分な輝度も得ることができる。
【００６０】
次に、本発明に係る表示装置１を用いて、被写体４０である視認者にて操作される様子を図７を用いて説明する。図７は、操作される様子が明瞭となるように、図１の透過型スクリーン２の向きを変えた図である。
【００６１】
図７に示すように、透過型スクリーン２の背面側から光源１０を用いてカラー画像を透過型スクリーン２に投影するとともに、このカラー画像を透過型スクリーン２と一体的に配置された撮像手段２０にて、透過型スクリーン２の前面側の被写体４０である視認者の動作を検出する。
【００６２】
撮像手段２０は、投影ユニット１０の光源の点灯と同期して撮像するため、透過型スクリーン２上で照らされたカラー画像を撮像手段２０の照明としても使うことができ、別途、照明を配設することなく、視認者の動作を容易に認識できる。例えば、動作として、視認者の手の動きを撮像手段２０にて容易に認識できる。すなわち、視認者は、透過型スクリーン２上の目印５０を、図７に示す上下左右の矢印の方向に動かす手の動きだけで操作することができる。
【００６３】
これは、透過型スクリーン２の表示と視認者の手の動きによって、対話形式のインタラクティブな操作ができることを示している。これは、例えば、音声による伝達ができない場合に有用である。
【００６４】
もし、視認者の手の動きが速くて認識しづらいときには、図６のように、赤１０ａ、緑１０ｂ、青１０ｃの全ての単色光源を同時点灯する期間Ｔ１０を撮像期間Ｔ１１と同一の期間及びタイミングとすれば、最大輝度の白色光を得ることができ、図６に示す視認者の手の動きを確実に認識できる。これにより、透過型スクリーン２上に目印５０を確実に表示することができる。また、これは、透過型スクリーン２と視認者との間に、車の赤外線吸収ガラスがあって、外光に含まれる赤外線成分が吸収され、熱を帯びて、視認者の指示を検出しづらい場合にも、このような可視光からなる各単色光源の同時点灯を行うことで、視認者の指示の検出が容易となる。
【００６５】
一方、このように、最大輝度の白色光の場合、視認者は眩しさを感じることになるが、図６に示した赤１０ａ、緑１０ｂ、青１０ｃの全ての単色光源が同時点灯される期間Ｔ１０と同一の撮像期間Ｔ１１を各単色光源の発光周期Ｔに対して充分に短い期間とすれば、視認者に眩しさを感じさせることなく、撮像することができる。この期間の長さ及びタイミングは、撮像手段２０であるＣＣＤカメラの感度、周囲の明るさ、視認者の動きの速さに応じて、適宜、変更すれば良い。
【００６６】
また、このように、撮像手段２０にて、視認者の動作を認識するだけでなく、視認者の手の届かない離れた位置に設けられた透過型スクリーン２上に、視認者の動作に対応した目印５０を表示することで、目印５０は、透過型スクリーン２に表示される選択項目を非接触で選択して決定できる入力操作手段とすることもできる。これにより、視認者は、例えば、ドライブスルーで、手の届かない位置に設けられた透過型スクリーン２に表示される選択項目を非接触で選択して決定することができる。
【００６７】
なお、透過型スクリーン２に表示される選択項目を非接触で選択して決定できるのは、目印５０にて、透過型スクリーン２に表示される選択項目を一定期間継続して指示された場合、すなわち、一定期間、目印５０の移動がないときに限定して実行される。このように、一定期間継続して指示された時点で実行されることで、透過型スクリーン２上の表示を確実に選択決定することができる。
【符号の説明】
【００６８】
１                      表示装置
２                      透過型スクリーン
３                      レンチキュラレンズ
４                      フレネルレンズ
５                      リフレクタミラー
６                      投射光
７                      窓ガラス
１０                    投影ユニット
１０ａ、１０ｂ、１０ｃ  単色光源
１１                    コリメータレンズ
１２ａ、１２ｂ          ダイクロイックミラー
１３                    ロッドレンズ
１４                    フライアイレンズ
１５                    ミラー
１６                    凸レンズ
１７                    ＤＭＤ
１８                    プロジェクシンレンズ
２０                    撮像手段
３０                    コントローラ
３１                    メインコントローラ
３２                    ＤＭＤコントローラ
３３                    ＬＥＤドライバ部
３４                    操作部
３５                    画像処理部
４０                    被写体
５０                    目印
Ｔ                      発光周期
Ｔ１                    点灯期間（Ｔ２、Ｔ３、Ｔ４、Ｔ５、Ｔ６、Ｔ７）
Ｔ８                    撮像期間
Ｔｃ                    撮像周期
【図１】
2012027104.tif 000003
【図２】
2012027104.tif 000004
【図３】
2012027104.tif 000005
【図４】
2012027104.tif 000006
【図５】
2012027104.tif 000007
【図６】
2012027104.tif 000008
【図７】
2012027104.tif 000009
【図８】
2012027104.tif 000010